(57)【要約】【課題】光ビームを第一および第二の発光素子から互いに平行に射出するとともに、一方の前記光ビームを光路途中で偏向させて２つの前記光ビームをポリゴンミラーのポリゴン面近傍で交差させるマルチビーム走査装置を安価に提供する。【解決手段】マルチビーム走査装置において、光ビームを互いに平行に射出する第一および第二の発光素子と、一方の前記光ビームＬＢｂの光路途中に設けられて、当該光ビームＬＢｂを偏向させることにより、ポリゴンミラーのポリゴン面近傍で２つの前記光ビームを交差させるプリズム２２０とを備え、プリズム２２０は、光ビームＬＢｂを屈折させることで偏向する。【選択図】図３
2007292929.tif 000002
【特許請求の範囲】
【請求項１】
光ビームを互いに平行に射出する第一および第二の発光素子と、
一方の前記光ビームの光路途中に設けられて、当該光ビームを偏向させることにより、ポリゴンミラーのポリゴン面近傍で２つの前記光ビームを交差させる光学素子とを備え、
前記光学素子は、前記光ビームを屈折させることで偏向するマルチビーム走査装置。
【請求項２】
前記光学素子は、前記光ビームが入射する入射面の屈折力により前記光ビームを偏向させる請求項１記載のマルチビーム走査装置。
【請求項３】
前記光学素子は、入射した前記光ビームを射出する射出面の屈折力により前記光ビームを偏向させる請求項１記載のマルチビーム走査装置。
【請求項４】
前記光学素子は、前記光ビームが入射する入射面と入射した前記光ビームが射出する射出面との間に、互いに平行に設けられて順に前記光ビームを反射することにより当該光ビームの光軸を平行移動させる第一および第二の反射面を備え、
前記第一および第二の反射面は、当該光ビームの光軸を平行移動させることにより、２つの前記光ビームの間の光軸の距離を縮める請求項１乃至３のいずれかに記載のマルチビーム走査装置。
【請求項５】
請求項１〜４のいずれかに記載のマルチビーム走査装置を備えた画像形成装置。
【発明の詳細な説明】
【技術分野】
【０００１】
本発明は、マルチビーム走査装置および画像形成装置に関し、特に、光ビームを第一および第二の発光素子から互いに平行に射出するとともに、一方の前記光ビームを光路途中で偏向させて２つの前記光ビームをポリゴンミラーのポリゴン面近傍で交差させるマルチビーム走査装置および、かかるマルチビーム走査装置を有する画像形成装置に関する。
【背景技術】
【０００２】
従来より、プリンタ、複写機、ファックス、複合機などの画像形成装置には、複数本の光ビームにより走査面を同時に走査して像形成を行うマルチビーム走査装置が設けられる。
【０００３】
特許文献１では、２つの発光素子から出射された互いに平行な２本の光ビームが、光路途中で偏向器（プリズム）により一方が偏向されることにより互いの間に角度が設けられて、設けられた角度に基づいてその後しだいに距離が近づきながら進んで、ポリゴンミラーのポリゴン面近傍で交差してほぼ同じポリゴンミラーの位置を照射するという構成を採っている。
【０００４】
かかる構成が採られることで、発光素子は、光ビームを単に互いに平行に射出するだけのもので足りるようになるため、発光素子の組み付けが容易になったり、位置精度の安定性が確保されたり、発光素子の位置調整機構が簡潔になったりする。
【特許文献１】特許第３６８１１２０号明細書
【発明の開示】
【発明が解決しようとする課題】
【０００５】
ここで、特許文献１には、互いに平行な光ビームに角度を設けさせる上述の偏向器の具体的構成については記載がないが、一般的には、以下の図６で説明する構成となる。
【０００６】
図６は、互いに平行な光ビーム９ＬＢａ，９ＬＢｂに角度を設けさせる偏向器を示す図である。
【０００７】
第1の光ビーム９ＬＢａと第２の光ビーム９ＬＢｂとは、２つの発光素子が互いに平行に出射させた２本のレーザビームである。
【０００８】
プリズム９１０ｂが設けられたマルチビーム走査装置９００においては、第１の光ビーム９ＬＢａはプリズム９１０ｂの近傍をプリズム９１０ｂに入射することなく通過するとともに、第２の光ビーム９ＬＢｂはプリズム９１０ｂ内部に入り、これを透過して出てくる。これにより、第２の光ビーム９ＬＢｂは角度にしてφＯＰだけ偏向される。すなわち、第１の光ビーム９ＬＢａに対して、角度差φＯＰが第２の光ビーム９ＬＢａに付けられる。この後に、第１および第２の光ビーム９ＬＢａ，９ＬＢｂは、図の下側欄外にあるポリゴンミラーのポリゴン面近傍で交差して、ポリゴンミラー上のほぼ同じ位置に入射する。
【０００９】
プリズム９１０ｂにおいては、図中左側の第２の光ビーム９ＬＢｂは、入射面９ｆｉでプリズム９１０ｂ内部に入射した後、順に、非平行な反射面９ｆａ，９ｆｂで次々に反射され、さらに、入射面９ｆｉと平行な出射面９ｆｏで屈折した後に、プリズム９１０ｂ外部へと出射する。第２の光ビーム９ＬＢｂが入射する入射面９ｆｉおよび出射する出射面９ｆｏは互いに平行であるものの、反射面９ｆａ，９ｆｂの間には角度差φＯが付けてある。この反射面９ｆａ，９ｆｂの角度差φＯに応じて、第２の光ビーム９ＬＢａは、φＯＰ＝ｓｉｎ−１｛ｎ・ｓｉｎ（２φＯ）｝の角度だけ偏向される。ここに、プリズム９１０ｂの屈折率はｎであるものとし、また、空気の屈折率は１であるものとしている。
【００１０】
特許文献１記載のマルチビーム走査装置の偏向器は、具体的には、一般に以上説明したようなプリズム９１０ｂとして実現される。
【００１１】
ところが、反射面９ｆａ，９ｆｂは非平行に形成しなければならず、平行な２面を形成するときのように同時工程で両者を形成することはできないために、高い精度で反射面９ｆａ，９ｆｂを角度差φＯだけずらせて形成することは容易ではなかった。
【００１２】
しかも、反射面９ｆａ，９ｆｂの角度差φＯのバラツキに応じて、第２の光ビーム９ＬＢｂが偏向される角度の大きさφＯＰは、容易に大きく敏感な誤差感度で変化する。反射面９ｆａ，９ｆｂの角度差φＯが、ΔφＯだけズレて、「φＯ＋ΔφＯ」になったとすると、出射面９ｆｏから出射される光の出射角度φＯＰは、ｓｉｎ−１｛ｎ・ｓｉｎ（２・φＯ＋２・ΔφＯ）｝−ｓｉｎ−１｛ｎ・ｓｉｎ（２・φＯ）｝と、大きく変化する。
【００１３】
したがって、かかるマルチビーム走査装置９００においては、著しく高い精度で反射面９ｆａ，９ｆｂを形成しなければならなくなったり、プリズム９１０ｂの位置調整が微妙となり、調整が簡単にできなくなったり、調整のために複雑な機構が必要になったりして、コストが高くなってしまう。
【００１４】
本発明は、かかる点に鑑みてなされたものであり、光ビームを第一および第二の発光素子から互いに平行に射出するとともに、一方の前記光ビームを光路途中で偏向させて２つの前記光ビームをポリゴンミラーのポリゴン面近傍で交差させるマルチビーム走査装置をコスト低く実現することを目的とする。
【課題を解決するための手段】
【００１５】
請求項１記載のマルチビーム走査装置は、光ビームを互いに平行に射出する第一および第二の発光素子と、一方の前記光ビームの光路途中に設けられて、当該光ビームを偏向させることにより、ポリゴンミラーのポリゴン面近傍で２つの前記光ビームを交差させる光学素子とを備え、前記光学素子は、前記光ビームを屈折させることで偏向するマルチビーム走査装置である。
【００１６】
この構成であれば、第一および第二の発光素子から光ビームが互いに平行に射出されるとともに、一方の前記光ビームの光路途中に設けられた光学素子により当該一方の光ビームが屈折させられて偏向して、ポリゴンミラーのポリゴン面近傍で２つの前記光ビームが交差する。
【００１７】
したがって、光ビームを、反射ではなく、屈折させることによって偏向するので、誤差感度を低く抑えることができ、これにより、精度のよい光学素子を容易に製造できるようになったり、光学素子の位置調整を簡便に行うことができるようになったり、その調整を行う調整機構が簡単な構成のもので済むようになったりして、低いコストで装置を実現することができる。
【００１８】
「平行」とあるのは、必ずしも厳密に平行である場合のみを意味するのではなく、概ね平行である場合を含む。
【００１９】
発光素子ごとに、それぞれ前記光学素子が設けられているものとしてもよい。
【００２０】
請求項２記載のマルチビーム走査装置は、前記光学素子は、前記光ビームが入射する入射面の屈折力により前記光ビームを偏向させる請求項１記載のマルチビーム走査装置である。
【００２１】
こうして、コストが低いマルチビーム走査装置を実現することができる。
【００２２】
請求項３記載のマルチビーム走査装置は、前記光学素子は、入射した前記光ビームを射出する射出面の屈折力により前記光ビームを偏向させる請求項１記載のマルチビーム走査装置である。
【００２３】
こうして、コストが低いマルチビーム走査装置を実現することができる。
【００２４】
光ビームが入射する入射面の屈折力と、入射した光ビームを射出する射出面の屈折力との両方の屈折力により光ビームは偏向されるものとしてもよい。また、第一の部材と第二の部材とが接合して光学素子がなり、それらの部材の間の接合面の屈折力によって光ビームが偏向されるものとしてもよい。
【００２５】
請求項４記載のマルチビーム走査装置は、前記光学素子は、前記光ビームが入射する入射面と入射した前記光ビームが射出する射出面との間に、互いに平行に設けられて順に前記光ビームを反射することにより当該光ビームの光軸を平行移動させる第一および第二の反射面を備え、前記第一および第二の反射面は、当該光ビームの光軸を平行移動させることにより、２つの前記光ビームの間の光軸の距離を縮める請求項１乃至３のいずれかに記載のマルチビーム走査装置である。
【００２６】
この構成であれば、前記光学素子は、光ビームが入射する入射面と入射した当該光ビームが射出する射出面との間において、互いに平行に設けられた第一および第二の反射面に順に光ビームが反射されることで、当該光ビームの光軸が平行移動され、平行移動がされることによって２つの光ビームの間の光軸の距離が縮められる。
【００２７】
したがって、図６のプリズム９１０ｂと同様に２つの光ビームの間の光軸の距離を縮めさせることができるにも関わらず、誤差感度が高い反射面が容易に精度よく製造することができる互いに平行な面となっているため、光学素子を容易に精度よく製造することができるようにしたり、光学素子の位置調整を容易に行うことができるようにしたり、位置調整機構を簡単にしたりすることができる。
【００２８】
なお、入射面と射出面とを互いに非平行に形成することで、互いに平行な２つの上記光ビームの光軸に対して入射面と射出面との少なくとも一方を非垂直にして、前記光ビームを入射面および射出面のうち少なくともその面で屈折させるようにするものとしてもよい。
【００２９】
請求項５記載の画像形成装置は、請求項１〜４のいずれかに記載のマルチビーム走査装置を備えた画像形成装置である。
【００３０】
この画像形成装置であれば、コストを低く抑えることができる。
【発明の効果】
【００３１】
本発明によれば、光ビームを第一および第二の発光素子から互いに平行に射出するとともに、一方の前記光ビームを光路途中で偏向させて２つの前記光ビームをポリゴンミラーのポリゴン面近傍で交差させるマルチビーム走査装置を低いコストで実現することを目的とする。
【発明を実施するための最良の形態】
【００３２】
以下、本発明の一実施形態に係る複写機１００について図面を参照して説明する。
【００３３】
図１は、複写機１００を示す説明図である。複写機１００は電子写真方式の画像形成装置である。
【００３４】
複写機１００は、露光装置１０２と、露光装置１０２が露光を行う感光体ドラム１０１とを備える。
【００３５】
感光体ドラム１０１は、記録紙へと転写されるトナー像が形成される像担持体である。感光体ドラム１０１には、図示しない帯電器から電荷が付与され、電荷が付与された感光体ドラム１０１へと、図１の露光装置１０２から露光がされることで、感光体ドラム１０１表面に静電潜像が形成される。この静電潜像を基にしてトナー像が感光体ドラム１０１表面に形成されて、記録紙へと転写される。
【００３６】
露光装置１０２は、ビーム書込装置２００と、ポリゴンミラー３００と、ｆθレンズ４００とを備える。
【００３７】
ビーム書込装置２００は、レーザビームＬＢを、ポリゴンミラー３００に向けて射出する。
【００３８】
ポリゴンミラー３００は、ビーム書込装置２００から入射されるレーザビームＬＢを、感光体ドラム１０１に向けて反射させる。感光体ドラム１０１に向けて反射されるレーザビームＬＢは、ポリゴンミラー３００が回転駆動されていることで、感光体ドラム１０１の軸方向（図示するｘ方向）に走査される。このようにして、感光体ドラム１０１上へと照射されるレーザビームＬＢが感光体ドラム１０１上で、その軸方向に走査されることにより、感光体ドラム１０１上に静電潜像が形成される。
【００３９】
ｆθレンズ４００は、感光体ドラム１０１とポリゴンミラー３００との間に設けられており、ポリゴンミラー３００からこのｆθレンズ４００を介してレーザビームＬＢは感光体ドラム１０１へと照射される。このように、ｆθレンズ４００を介してレーザビームＬＢが感光体ドラム１０１に入射することにより、感光体ドラム１０１上を走査されるレーザビームＬＢの走査速度が一定になるようにされている。
【００４０】
図２は、ビーム書込装置２００の詳細な構成を示す説明図である。図２（ａ）は、図１におけるビーム書込装置２００およびポリゴンミラー３００の近傍を拡大して示したものであり、この図２（ａ）のビーム書込装置２００およびポリゴンミラー３００を、図の下側から（ｙ方向の正方向に）眺めたときの図が、図２（ｂ）である。
【００４１】
ビーム書込装置２００は、ポリゴンミラー３００に向けてレーザビームＬＢａ，ＬＢｂを射出するレーザ素子２１０ａ，２１０ｂと、レーザビームＬＢａ，ＬＢｂのうち一方のレーザビームＬＢｂの光路上に設けられたプリズム２２０とを有する。また、レーザビームＬＢａ，ＬＢｂの光路上には、プリズム２２０以外に、コリメータレンズ２１１ａ，２１１ｂと、アパーチャ２１２ａ，２１２ｂと、一方のレーザビームＬＢａの光路上にのみ設けられたウェッジプリズム２１３と、平行平板２１４ａ，２１４ｂと、プリズム２２０により偏向されたレーザビームＬＢｂおよびもう一方のレーザビームＬＢａとがともに通過するシリンダレンズ２１５などが備えられている。
【００４２】
レーザ素子２１０ａ，２１０ｂは、同一平面状に平行に設けてあり、レーザビームＬＢａ，ＬＢｂを平行に射出する。レーザ素子２１０ａ，２１０ｂから射出されたレーザビームＬＢａ，ＬＢｂは、レーザビームＬＢｂがプリズム２２０に到達するまで、平行を保って進む。なお、図１では、この２本のレーザビームＬＢａ，ＬＢｂを、簡略化して、単にレーザビームＬＢとして示していた。
【００４３】
コリメータレンズ２１１ａ，２１１ｂは、レーザ素子２１０ａ，２１０ｂが射出したレーザビームＬＢａ，ＬＢｂの光束を、それぞれ平行化させる。
【００４４】
アパーチャ２１２ａ，２１２ｂは、レーザビームＬＢａ，ＬＢｂを整形して、断面の寸法精度を向上させる。
【００４５】
ウェッジプリズム２１３は、レーザビームＬＢａの光軸周りに回転可能にビーム書込装置２００に取り付けられ、入射面と放射面とが互いに非平行に形成されたレンズであり、レーザビームＬＢａの角度を調節する。
【００４６】
平行平板２１４ａ，２１４ｂは、レーザビームＬＢａ，ＬＢｂの高さ位置を調節する。
【００４７】
プリズム２２０は、コリメータレンズ２１１ｂ，アパーチャ２１２ｂ，平行平板２１４ｂを通過してきたレーザビームＬＢｂを偏向させる。レーザビームＬＢｂは、プリズム２２０により偏向されて、他方のレーザビームＬＢａに対して角度が設けられるので、プリズム２２０よりもポリゴンミラー３００側では、両者は非平行となる。そして、その設けられた角度差に基づいて、プリズム２２０よりもポリゴンミラー３００側では、レーザビームＬＢａ，ＬＢｂは互いの距離が縮まってゆき、ポリゴンミラー３００のポリゴン面に入反射するときに前後して、両者は交差する。
【００４８】
シリンダレンズ２１５は、プリズム２２０により偏向されたレーザビームＬＢｂと、レーザ素子２１０ａから真っ直ぐに進んできた他方のレーザビームＬＢａとがともに透過する。シリンダレンズ２１５は、レーザビームＬＢａ，ＬＢｂを線像に結像させる働きを奏する。
【００４９】
こうしてポリゴンミラー３００到達したレーザビームＬＢａ，ＬＢｂが、ポリゴンミラー３００に反射されて、感光体ドラム１０１へと照射される（図１参照）。
【００５０】
図３は、プリズム２２０の詳細な構成を示す図である。図３は、図２（ａ）におけるレーザ素子２１０ａ，２１０ｂが設けられた側を図３の上側に、ポリゴンミラー３００の側を図３の下側にして、上から下にレーザビームＬＢｂが進むように、図２のプリズム２２０近傍を拡大して示したものであり、先に説明した図６と対比して、図６のプリズム９１０ｂと本実施形態のプリズム２２０との構成上の違いが明らかになるように示した図である。
【００５１】
図３のプリズム２２０においては、レーザビームＬＢｂが入射する入射面２２０ｆｉと、プリズム２２０内部に入射したレーザビームＬＢｂを最初に反射する第一の反射面２２０ｆａと、第一の反射面２２０ｆａに対して平行に形成された面であって、当該プリズム２２０へとレーザビームＬＢｂが第一の反射面２２０ｆａに入射する入射方向と平行に、反射面２２０ｆａから来た光を図３の下側（ｘ方向の正方向）へと反射させる第二の反射面２２０ｆｂと、第二の反射面２２０ｆｂが反射したレーザビームＬＢｂがプリズム２２０の外部へと出射する出射面２２０ｆｏとが形成されている。
【００５２】
第一の反射面２２０ｆａと第二の反射面２２０ｆｂとは、入射面２２０ｆｉと出射面２２０ｆｏとの間に互いに平行に形成されていて、入射面２２０ｆｉへと入射したレーザビームＬＢｂの光軸を図３の左右方向（ｙ方向の正方向）に平行移動させて出射面２２０ｆｏへと入射させる。この平行移動により、レーザビームＬＢｂの光軸は、図３の欄外、ｙ方向の正方向の外側を進んでいる他方のレーザビームＬＢａの光軸へと近づけられる（言い換えれば、レーザビームＬＢｂは、２つのレーザビームＬＢａ，ＬＢｂの光軸が交差する箇所（図２参照）へと近づけられる）。
【００５３】
こうして光軸が平行移動されたレーザビームＬＢｂは、射出面２２０ｆｏにおいて偏向される。射出面２２０ｆｏは、入射面２２０ｆｉとは非平行に、角度差φＮを付けて形成されており、レーザビームＬＢｂは射出面２２０ｆｏへと角度をもちながら斜めに入射する。この結果、第二の反射面２２０ｆｂは、角度をもちながら斜めに入射するレーザビームＬＢｂを、角度φＮＰだけ屈折させながら、プリズム２２０の外部へと出射させる。なお、プリズム２２０へと入射面２２０ｆｉに入射するレーザビームＬＢｂに対して、入射面２２０ｆｉは垂直となるように、プリズム２２０は位置取りがされている。
【００５４】
ここで、プリズム２２０からレーザビームＬＢｂが出力される角度φＮＰは、入射面２２０ｆｉに対する出射面２２０ｆｏの角度差φＮに対して、φＮＰ＝ｓｉｎ−１｛ｎ・ｓｉｎ（φＮ）｝−φＮとなる。なお、ここでは、説明の便宜上、図６に示したプリズム９１０ｂの屈折率と、このプリズム２２０の屈折率は等しいものとして、すなわち、このプリズム２２０の屈折率はｎであるものとし、また、図６における説明の場合と同様に、空気の屈折率は１であるものとして、上記の関係式は示している。
【００５５】
図４は、複写機１００ではプリズム２２０がレーザビームＬＢｂを出力する角度φＮＰのバラツキが相対的に少ないことを示す図である。
【００５６】
仮に、本実施形態のプリズム２２０のビーム出力角度φＮＰと、図６で示したプリズム９１０ｂのビーム出力角度φＯＰとで、角度のバラツキを０．２°以内にして、図４の表上段に示すように、ビーム出力角度φＮＰおよびφＯＰがそれぞれ１．９°〜２．１°の範囲に収まるようにしたいとする。このときに、図３のプリズム２２０の入射面２２０ｆｉおよび出射面２２０ｆｏの角度差φＮ、および、図６のプリズム９１０ｂの２つの反射面９ｆａ，９ｆｂの角度差φＯをそれぞれどの程度のバラツキに抑えなければならないかを求めて、比較することとする。なお、以下では、出力角度φＮＰおよび角度差φＮの間と、出力角度φＯＰおよび角度差φＯの間との２つの上記した各関係式に含まれる屈折率ｎの値は、ｎ＝１．６であるものとして説明を行う。
【００５７】
まず、図６のプリズム９１０ｂにおけるビーム出力角度φＯＰが１．９°〜２．１°となるためには、図４の表の中段に示すように、反射面９ｆａ，９ｆｂの間の角度差φＯがが、前述したφＯとφＯＰとの関係式から求められるところにより、０．５９３°〜０．６５６°でなければならず、両者の差をとって角度差φＯに許されるバラツキの範囲すなわち公差を求めると、公差はｄＯ＝０．０６３°となる。
【００５８】
これに対して、図３の本実施形態に係るプリズム２２０におけるビーム出力角度φＮＰが１．９°〜２．１°となるためには、図４の表の下段で示すように、前述したφＮとφＮＰとの関係式に基づいて、プリズム２２０の入射面２２０ｆｉおよび出射面２２０ｆｏの間の角度差φＮが３．１６０°〜３．４９１°でなければならず、したがって公差ｄＮ＝０．３３１°となり、先に求めたプリズム９１０ｂにおいて許された公差ｄＯ＝０．０６３°とくらべて桁が違っていて、本実施形態のほうが約５倍大きな公差であり、約５倍のバラツキまで本実施形態のプリズム２２０は許されて、高い性能を発揮することが分かる。
【００５９】
要するに、プリズム２２０の入射面２２０ｆｉおよび出射面２２０ｆｏと、プリズム９１０ｂの反射面９ｆａ，９ｆｂとはいずれも非平行に形成しなければならず、比較的高い精度で形成させることが容易でないことで共通するが、両者の間で、許される公差に約５倍の違いがあるので、本実施形態の入射面２２０ｆｉおよび出射面２２０ｆｏを形成するときの方が遥かに容易であり、この結果、本実施形態のプリズム２２０であれば、著しく高精度に製造せずともよくなる。また、プリズムの設置位置を調整する場合でも、同様に、本実施形態のプリズム２２０であれば比較的簡便に調整を行うことができるようになり、この結果プリズム保持機構を簡単な構成にすること等も可能となる。こうして、コストを低く抑えてビーム書込装置２００を構成することができる。
【００６０】
以下、本実施例の変形例について説明する。
【００６１】
（Ａ）上述の技術は、画像形成装置に限らず、発光素子から平行に射出するビームをその光路途中で偏向させることによってポリゴンミラーのポリゴン面近傍で交差させてマルチビーム走査を行うマルチビーム走査装置を用いる各種の装置に用いることができる。
【００６２】
（Ｂ）上述の実施形態では、入射面２２０ｆｉと出射面２２０ｆｏとが非平行にされていたが、このような光学素子によりレーザビームＬＢｂを偏向させなければならないということはなく、レーザビームＬＢｂを偏向させる光学素子に種々の態様を採って本発明は構成することができる。
【００６３】
図５は、対向する２つの面が全て平行に形成されたプリズム６２０を示す図である。上述の実施形態で説明したプリズム２２０に代えて、かかるプリズム６２０を設けるものとしてもよい。
【００６４】
プリズム６２０においては、入射面６２０ｆｉおよび出射面６２０ｆｏと、２つの反射面６２０ｆａ，６２０ｆｂとが、ともに平行にされている。
【００６５】
そして、プリズム６２０は、第一の部材６２１と第二の部材６２２とを接合して構成されており、両部材の接合面６２０ｘでレーザビームＬＢｂは角度ψＮ２だけ屈折するようになっている。なお、第一の部材６２１と第二の部材６２２とは、接合面６２０ｘで屈折が起きるように、互いに異なる屈折率の素材により構成されている。
【００６６】
接合面６２０ｘで屈折したレーザビームＬＢｂは、反射面６２０ｆｂで反射されて、出射面６２０ｆｏよりプリズム６２０の外部へと出射する。なお、接合面６２０ｘで屈折がされたレーザビームＬＢｂは、出射面６２０ｆｏへと斜めに、非垂直に入射するため、出射面６２０ｆｏにおいても、接合面６２０ｘでの屈折角度ψＮ２の大きさに応じて再度、屈折が起き、出射面６２０ｆｏより出射するレーザビームＬＢｂの出射角度ψＮ２Ｐは、必ずしも接合面６２０ｘでの偏向角度ψＮ２に等しくはない。
【００６７】
かかるプリズム６２０は、第一の部材６２１および第二の部材６２２とひとまず、大き目の立方体に形成し、立方体とした第一の部材６２１と第二の部材６２２とを接合するとともに、接合面６２０ｘを基準として４つの面（入射面２２０ｆｉと出射面２２０ｆｏ、および２つの反射面６２０ｆａ，６２０ｆｂ）を切り出し等することにより構成するものとしてもよい。
【００６８】
こうすれば、プリズム６２０を構成する面のうち対向する面は、すべて、互いに平行となり、いっそう、プリズム６２０の精度がよくなったり、製造が容易になったりする。
【００６９】
（Ｃ）上述の実施形態では、プリズム２２０の出射面２２０ｆｏの屈折力によりレーザビームＬＢｂを偏向しているが、かかる場合に限定されることはなく、入射面２２０ｆｉの屈折力で偏向してもよいし、両者で偏向が行われるものとしてもよい。
【００７０】
また、プリズム２２０に設けられた面の屈折力によってではなく、レーザ素子２１０ａ，２１０ｂからポリゴンミラー３００までの、プリズム２２０以外の他の光学素子の屈折力によって偏向されるものとしてもよい。
【００７１】
（Ｄ）プリズム２２０を通過しない方のレーザビームＬＢａの光路上に、プリズム２２０と同様のプリズムを設けてもよい。
【図面の簡単な説明】
【００７２】
【図１】複写機１００を示す説明図である。
【図２】ビーム書込装置２００の詳細な構成を示す説明図である。
【図３】プリズム２２０の詳細な構成を示す図である。
【図４】複写機１００ではプリズム２２０がレーザビームＬＢｂを出力する角度φＮＰのバラツキが相対的に少ないことを示す図である。
【図５】対向する２つの面が全て平行に形成されたプリズム６２０を示す図である。
【図６】互いに平行な光ビーム９ＬＢａ，９ＬＢｂに角度を設けさせる偏向器を示す図である。
【符号の説明】
【００７３】
１００  複写機
１０１  感光体ドラム
２００  ビーム書込装置
２１０ａ，２１０ｂ  レーザ素子
２２０  プリズム
２２０ｆａ，２２０ｆｂ  反射面
２２０ｆｉ  入射面
２２０ｆｏ  出射面
３００  ポリゴンミラー
４００  ｆθレンズ
６２０  プリズム
６２０ｆａ，６２０ｆｂ  反射面
６２０ｆｉ  入射面
６２０ｆｏ  出射面
６２０ｘ  接合面
６２１  第一の部材
６２２  第二の部材
９００  マルチビーム走査装置
９１０ｂ  プリズム
９ＬＢａ，９ＬＢｂ  光ビーム
９ｆａ，９ｆｂ  反射面
９ｆｉ  入射面
９ｆｏ  出射面
ＬＢ  レーザビーム
ＬＢａ，ＬＢｂ  レーザビーム
φＮ  入射面２２０ｆｉと出射面２２０ｆｏとの角度差
φＮＰ  ビーム出力角度
φＮ２  接合面６２０ｘにおける屈折角度
φＮ２Ｐ  ビーム出力角度
φＯ  反射面９ｆａ，９ｆｂの角度差
φＯＰ  ビーム出力角度
ｄＮ  ビーム出力角度φＮＰの公差
ｄＯ  ビーム出力角度φＯＰの公差
【図１】
2007292929.tif 000003
【図２】
2007292929.tif 000004
【図３】
2007292929.tif 000005
【図４】
2007292929.tif 000006
【図５】
2007292929.tif 000007
【図６】
2007292929.tif 000008